(57)【要約】      （修正有）【課題】浴室入口の段差解消と洗い場床での滑転倒防止を目的とし、設置に伴っての工事を必要としない木製浴室すのこを提供する。【解決手段】木製の床板１裏面に設けた溝を、アルマイトチャンネル製の桁４よこ部位に螺合することによって床板１と桁４を連結して脱着自在のすのこを形成すること、及び、上記の桁４に高さ調節自在のねじ式支持脚１２を取り付けること、を特徴とする。【選択図】図７
0003217403.tif 000002
【実用新案登録請求の範囲】
【請求項１】
檜材を床板として２枚以上を配置。下面にアルマイト材の桁を２本以上配置して床板裏面に設けられた溝を桁両サイトの突起部位に嵌合せしめ、釘あるいは接着剤等を用いることなく、すのこを形成することを特徴とする木製浴室すのこ。
【請求項２】
上下調整自在の支持脚を桁等に直付けせず、独立した取付け金具を予め桁にねじ止めして当該金具に支持脚を螺合せしむる二段階の取付構造とした。
これによって負荷の分散が可能となることを特徴とする木製浴室すのこ。
【考案の詳細な説明】
【考案の詳細な説明】
【産業上の利用分野】
【０００１】本考案は浴室入口の段差解消と洗い場床での滑転倒防止を目的とし、且つ設置に伴っての工事を必要としないことを特徴とする浴室すのこに関する。
【背景技術】
【０００２】従来の木製浴室用すのこは、床板と桁が釘などによって固着されている一体型のものが多かった。
【本考案が解決しようとする課題】
【０００３】１．すのこの裏面には石鹸かす、脂肪残滓、抜毛などが付着する。
こうした汚物を洗い流さずに使用を続けると、カビが発生、悪臭を出すなど衛生上好ましくない。従ってすのこのメンテナンスは最低でも月に１〜２回は行う必要がある。
２．しかし最近のすのこは床板が木製であるか樹脂製のものであるかを問わず体積も大きく重量もあり、その上、床板と桁が固着された一体型だから、手軽に取扱えない。つまりはメンテナンスを行う上での利便性が著しく欠けている。
３．さらに支持脚の取付け方にも問題がある。浴室入口の段差を解消するための福祉用具としてすのこが公的に認知された頃から高さ調整自在の支持脚が取付けられるようになったが床板が木の場合は、支持脚が桁あるいは基板に直付けされている。このような直付けの場合、負荷の分散が難しく、使用の状況によっては支持脚の耐荷重値を超えてしまい支持脚の折損事故につながる恐れもなしとしない。
【課題を解決するための手段】
【０００４】本考案は上記の課題を解決するのが目的であり、そのための技術手段は次の通りである。
１．床板と桁を固着することなくすのこが形成され、簡単に組立て分解ができる嵌合式を特徴とする木製浴室すのこ
２．前記において支持脚の取付け方式を直付けから、桁に別個独立した取付け金具をねじ止めし、当該金具に支持脚を螺合する二段階の支持脚取付け方式を特徴とする木製浴室すのこ。
【作用】
【０００５】１．本考案におけるすのこは、床板と桁及び支持脚取付け金具、ねじ式上下調整自在の支持脚によって構成されている。床板の長さと配置枚数は洗い場の大きさによって選択できる。桁も床板と同様、洗い場の面積によって長さ及び配置する本数が選択できる。
２．床板と桁が固着されていた従来のすのこから床板を桁に嵌合してすのこを形成することにより床板と桁の脱着が自在となるので、メンテナンス時には床板を桁から外して洗浄し、作業が終了すれば再び床板を桁に嵌合して元の形状に戻すことができるので、本考案による嵌合式すのこは女性や高齢者でも手軽にメンテナンス作業が行える利便性をもたらすものである。
３．支持脚を桁等に直付けする従来のすのこから、本考案においては桁に別個独立した取付け金具をねじ止めして支持脚を螺合して取付ける二段階の取付け方式とした。
これによって負荷は分散される構造となり事故防止に役立つ。
【０００６】以下、実施例を挙げて本考案を説明する。
【０００７】図１．は床板の斜視図である。材質は檜（間伐材）である。板幅は１００ｍｍ、厚さ３０ｍｍである。長さは洗い場の大きさによって選択できる。板床は浴室入口と平行に奥に向って並列配置する。床板と床板の間隔はゼロ間隔とし別途排水口（３）を設ける。
配置する枚数は洗い場の大きさによって選択できる。
（２）は嵌合溝である。溝幅は３ｍｍ深さ７ｍｍで、６０ｍｍの間隔で２本の溝が並列する。
床板一枚に対し２ヶ所以上４本以上の溝を設ける。
【０００８】図２の桁はＪＩＳ規格及記号Ｈ４１００Ａ６０６３アルマイトチャンネルであるアルマイト材は軽くて腐蝕しにくい特性があるので浴室で使用するすのこの桁の材質として優れている。また本考案におけるすのこは、施工工程を必要としないように、すのこの各部材はキット化されてエンドユーザーの許に届けられ、ユーザー自身の手で組立てる方式なのでアルマイト材の軽さは運賃コストの軽減に寄与できる。桁の標準寸法は（５）が３０ｍｍ（６）が６０ｍｍ、厚さ２ｍｍ、となっていて長さは洗い場の大きさによって選択できる。（８）は取付け金具の（１０）と螺合するねじ穴である。（７）は支持脚カバー部分（１３）を桁内部に収納する場合の通孔である。
【０００９】図３は支持脚取付け金具である。幅５３．７ｍｍ高さ２０ｍｍ厚さ２．５ｍｍである。（１１）は下穴φ１３Ｍ１０ナットを溶接固着したもので、支持脚ボルト（１２）と螺合する。
【００１０】図４は支持脚である。本体と底部（１４）の二重構造によって底部を接地させたまま本体を手で廻して高さの調節ができる。本体の高さは３６ｍｍから６０ｍｍまでのものを段差の高さによって選択できる。直径寸法は２７ｍｍである。耐荷重値は６０キログラムから３２０キログラムまでのものがあり、使用状況に合わせて選択できる。
【００１１】図５は桁（４）に取付け金具（９）を凹型にねじ止め固着して支持脚（１２）をナット（１１）に螺合した桁の組立て断面図である。取付け金具を凹型に固着しているのは支持脚が桁の外部に出るようにするためである。高い段差に対応する組立てパターンである。
【００１２】
0003217403.tif 000003
固着されている。これは支持脚の底部（１４）だけを残して支持脚全体を桁内部に収納して、できるだけ自高を押えて低い段差に対応する場合の組立てパターンである。
【００１３】図７は床板の一部をカットしたすのこ全体の斜視図である。
【考案の効果】
【００１４】本考案は以上のように、すのこの組立て分解が簡単にできる嵌合式の構造としたこと及び桁に固着した取付け金具に支持脚を取付ける二段階の取付け方式としたことによって次のような効果が得られる。
ａ  メンテナンス作業が女性あるいは高齢者でも簡単に行えるようになった。
ｂ  工具類などを使うことなく取扱い説明書に従って誰でも簡単に組立ができるようになった。（桁は組立てた完成品として出荷する）
ｃ  従って従来のすのこのような「施工」といった一つの工程が省けるのでコストカットができ、また生産性も向上する。
ｄ  二段階の支持脚取付け方式によって支持脚の安全性が確保できる。
ｅ  床板の厚さが従来のものに較べて約３倍もあるので、重厚かつ安定感をユーザーに与えることができる。
【図面の簡単な説明】
【図１】すのこ床板の説明図
【図２】すのこ桁の説明図
【図３】支持脚取付け金具の説明図
【図４】支持脚部位の説明図
【図５】本考案に係る桁の組立て断面図
【図６】本考案に係る桁の組立て断面図
【図７】本考案のすのこ全体の斜視図
【符号の説明】１．床板                            ８．ねじ穴
２，嵌合溝                          ９．取付け金具
３．排水口                        １０．ねじ穴
４．桁（チャンネル）              １１．ナット
５，寸法呼称「よこ」部分          １２．支持脚
６．寸法呼称「たて」部分          １３．カバー部分
７．通孔                          １４．底部
【図１】
0003217403.tif 000004
【図２】
0003217403.tif 000005
【図３】
0003217403.tif 000006
【図４】
0003217403.tif 000007
【図５】
0003217403.tif 000008
【図６】
0003217403.tif 000009
【図７】
0003217403.tif 000010
【手続補正書】
【提出日】平成30年4月9日(2018.4.9)
【手続補正１】
【補正対象書類名】実用新案登録請求の範囲
【補正対象項目名】全文
【補正方法】変更
【補正の内容】
【実用新案登録請求の範囲】
【請求項１】
木製の床板裏面に設けた溝を、アルマイトチャンネル製の桁よこ部位に螺合することによって床板と桁を連結して脱着自在のすのこを形成すること、
上記の桁に高さ調節自在のねじ式支持脚を取り付けること、
を特徴とする木製浴室すのこ。
【請求項２】
高さ調節自在ねじ式の支持脚の取り付けを、桁に固着したナット付き金具と螺合する方式にしたこと、
上記の支持脚取り付け方式によって上下動自在の桁に構成したことを、特徴とする請求項１記載の木製浴室すのこ。